(57)【特許請求の範囲】
【請求項１】
生地（１）の穴開け予定箇所を取り囲んで穴かがり（２）を施し、該穴かがり（２）の内側に対して、複数の切れ目（３）を一列配置としつつ切れ目（３）相互間に非切開による接続部（４）を残置させた状態で形成させ、これら各切れ目（３）の切断方向と交差する向きで上記接続部（４）を通り且つ穴かがり（２）を横断する天押ステッチ（１１）を設けることを特徴とする穴部形成方法。
【請求項２】
不刃部（６）を挟んでその両側に切断刃（７）が設けられた切断工具（５）を生地（１）に押し付けることで、前記接続部（４）とその両側の複数の切れ目（３）との形成を同時に行うことを特徴とする請求項１記載の穴部形成方法。
【請求項３】
衣類生地（５０）の腰まわりに設けられる紐状部材（５１）用紐通し部（５２）に対して、紐状部材（５１）の出入開口（５３）形成予定箇所に複数の切れ目（３）が前記紐状部材（５１）用紐通し部（５２）と交差する方向に一列配置で且つ相互間に非切開による接続部（４）を残置させて形成されており、これらの切れ目（３）まわりを一周する状態で穴かがり（２）が設けられている穴部構造において、
前記接続部（４）を通る位置付けで前記穴かがり（２）を横断しつつ紐状部材（５１）用紐通し部（５２）を衣類生地（５０）の腰まわりに沿って周回する天押ステッチ（１１）が設けられ、上記紐通し部（５２）が上下複数段に区画されていることを特徴とする穴部構造。
【発明の詳細な説明】
【０００１】
【発明の属する利用分野】
本発明は、穴かがり方法と穴かがり構造に関するものである。
【０００２】
【従来の技術】
図４に示すように、パンツ等の下物衣類に代表される衣類生地５０では、その腰まわり位置に、ゴム紐や繊維紐等の紐状部材５１を通すための筒袋状の紐通し部５２を周回状に設ける場合がある。この紐通し部５２には、紐状部材５１を出し入れしたり長さ調節したりするために用いる出入開口５３を設けている。
従来、このような紐状部材５１用の紐通し部５２に対しては、紐状部材５１を１本だけ通して一重のエンドレスをつくる方法、または衣類の着用感を良好にし、また着用時のずり落ち・ずり上がりに対する防止効果を高める目的で、紐状部材５１として比較的細いものを選出したうえでこれを複数本（通常は２本）通して、上下に複数のエンドレスをつくる方法等がある。
【０００３】
このように紐通し部５２に対して複数本の紐状部材５１を通す場合、この紐通し部５２内で紐状部材５１相互が絡み合うのを防止するために、図５に示すように、紐通し部５２の高さ方向中央部に対して腰まわりに沿って周回する天押ステッチ５５を設けて、紐通し部５２内を上下に区画するようにしている。
なお、上記紐通し部５２では、先に設けた出入開口５３に対して上記した天押ステッチ５５を設ける手順であった。ここにおいて出入開口５３を設けるには、衣類生地５０の紐通し部５２となる部分（筒袋状にする前の状態）に対して、その穴開け予定箇所を取り囲むようにして予め穴かがり５６を施してから、この穴かがり５６の内側へメス（平刃）を突き立てて一筋の切れ目５７を形成させるという場合が多かった。
【０００４】
また、このようにして出入開口５３を設け、更に紐通し部５２として筒袋状にする工程（天引き工程）を済ませた後、次に腰まわり方向の天押ステッチ５５を設けるには、衣類生地５０に対してその腰まわりを径大化させるように引っ張りをかけた状態にし、この状態を保ったまま天押ステッチ５５を設けるものであり、これによって天押ステッチ５５が衣類生地５０の伸縮性を阻害することのないようにしている。
【０００５】
【発明が解決しようとする課題】
上記のように、腰まわり方向の天押ステッチ５５を設けるに際して衣類生地５０に特定の引っ張りをかけた状態にすると、この引張力によって紐通し部５２に設けた出入開口５３が腰まわり方向（左右方向）へ大きく口開きされた状態となる。また、場合によっては、その開口５３形状にいびつなゆがみや偏り等の変形が生じることもあった。
この状態のまま天押ステッチ５５を設けると、紐通し部５２としての機能には問題がないとしても、見栄え上の品位低下を招来することに繋がる。
【０００６】
なお、このような出入開口５３における口開き大きさや変形等が一定の基準を超える場合も起こり得るものであり、この場合には当然のことながら天押ステッチ５５の手直しが必要となるので、これによって高コスト化に繋がっていた。
本発明は、上記事情に鑑みてなされたものであって、衣類生地の腰まわりに設けられる紐通し部等において出入開口に見栄え上の問題が生じないようにできる穴部形成方法及び穴部構造を提供することを目的とする。
【０００７】
【課題を解決するための手段】
本発明では、上記目的を達成するために、次の技術的手段を講じた。
即ち、本発明に係る穴部形成方法では、生地の穴開け予定箇所を取り囲んで穴かがりを施し、この穴かがりの内側に対して、複数の切れ目を一列配置としつつ切れ目相互間に非切開による接続部を残置させた状態で形成させ、これら各切れ目の切断方向と交差する向きで上記接続部を通り且つ穴かがりを横断する天押ステッチを設けるものである。
【０００８】
このように、穴かがりの内側へ設ける切れ目を複数にして、切れ目と切れ目との相互間に接続部（非切開部分）を設けているので、天押ステッチを設けるに際し、生地に対して引張力をかけても各切れ目が大きく口開きされた状態となったり、その開口形状にいびつなゆがみや偏り等の変形が生じたりすることが防止される。従って、天押ステッチを設けた後の状態として見栄えの良好なものが得られる。
上記した接続部とその両側の複数の切れ目とを形成する場合、不刃部を挟んでその両側に切断刃が設けられた切断工具を用いて、これを生地に押し付けるようにすると、接続部及び複数の切れ目を同時に形成できることになり、作業効率が良好となる。
【０００９】
また、本発明に係る穴部構造では、生地に対し、複数の切れ目が一列配置で且つ相互間に非切開による接続部を残置させて形成されており、これらの切れ目まわりを一周する状態で穴かがりが設けられているものである。
このような構造は、衣類生地の腰まわりに設けられる紐状部材用紐通し部に対して、紐状部材の出入開口に適用することができる。また、この他、各部に設ける釦穴等の構造として適用することもできる。
紐状部材用紐通し部として適用する場合では、接続部を通る位置付けで前記穴かがりを横断しつつ、紐状部材用紐通し部を衣類生地の腰まわりに沿って周回する天押ステッチが設けられたものとすればよい。これにより、紐通し部を上下複数段に区画できるため、それぞれに紐状部材を通して上下複数のエンドレスをつくることができる。
【００１０】
また、本発明に使用する切断工具では、非切開による接続部を残置させるための不刃部を挟んでその両側に切断刃が設けられている。
このような切断工具を用いることで、この種、穴開け作業に用いる装置として特別な機構や構造を持たせる必要がなく、簡単に実施できるものである。
【００１１】
【発明の実施の形態】
以下、図面に基づいて本発明の実施の形態を説明する。
一例として、図４に示したように衣類生地５０の腰まわりに設けられる紐通し部５２に対して、紐状部材５１の出入開口５３として用いる穴部に適用する場合を説明する。
本発明において、穴部を形成するには、図１（ａ）に示すように、まず紐通し部として筒袋状にする前の状態の生地１（一枚生地状態のもの）に対し、その穴開け予定箇所を取り囲むようにして穴かがり２を施す。
【００１２】
そして、図１（ｂ）に示すように、この穴かがり２の内側に対して、複数の切れ目３（図例では２つとした）を設ける。この場合、これら切れ目３は、互いに一列配置となり、且つ、これら切れ目３相互間には非切開による接続部４が残置されるようにする。
これら接続部４及び複数の切れ目３は、図２に示すような切断工具５を生地１へ押し付けるようにして形成させるのが簡単である。すなわち、この切断工具５は、スリット状の切欠として形成した不刃部６と、この不刃部６を挟んた両側に設けられた切断刃７とを有したものとなっている。
【００１３】
従って、各切断刃７によってそれぞれ切れ目３が形成され、不刃部６によって接続部４が形成されるものである。本実施形態において各切断刃７の刃渡りは１０ｍｍ程度、不刃部６は２ｍｍ程度とした。
このような切断工具５を用いれば、接続部４及び複数の切れ目３を同時に形成できることになり、作業効率が良好となる。また、この種、穴開け作業に用いる装置（図示略）として特別な機構や構造を持たせる必要がないので、簡単に実施できるものである。
【００１４】
この後、生地１において、上記穴かがり２の形成部位を含めた生地端部分を折り返すようにすると共に、この折り返した部分で筒袋状を形成させるためのステッチ（図１（ｃ）（ｄ）にそれぞれ符号１０で示す部分）を行い、これによって図４で示した紐通し部５２としての原形を形成させる（天引き工程）。
次に、図１（ｃ）に示すように、生地１に対してその腰まわりを径大化させるように引っ張りをかける。このときの引張力Ｔは、穴かがり２を設けた部位に対してはこれを左右に広げるように作用することになる。
【００１５】
そして、この引張力Ｔをかけた状態のまま、これら各切れ目３の切断方向と交差する向き（左右方向）で、上記接続部４を通り且つ穴かがり２を横断するようにして天押ステッチ１１を設ける。
このように天押ステッチ１１を設けるに際し、生地１に引張力Ｔをかけた状態としていても、穴かがり２の内側では切れ目３と切れ目３との相互間に接続部４（非切開部分）が設けられていることから、各切れ目３が大きく口開きされた状態となったり、その開口形状にいびつなゆがみや偏り等の変形が生じたりすることは防止される。
【００１６】
そのため、図１（ｄ）に示すように、天押ステッチ１１を設けた後の状態（生地１にかけた引張力Ｔを解放した状態）として、見栄えの良好なものが得られる。
なお、この図１（ｄ）では、穴かがり２が蛇行している様子を誇張して描いているが、実際に生じる蛇行はもっと小さなものである。また、特に見栄えをよくしたい場合であれば、略直線状にも形成できるものである。
このようにして得られた穴部構造では、生地１に対し、複数の切れ目３が一列配置で且つ相互間に非切開による接続部４を残置させて形成されており、これらの切れ目３まわりを一周する状態で穴かがり２が設けられているものである。
【００１７】
また、接続部４を通る位置付けで穴かがり２を横断するようにして、天押ステッチ１１が紐通し部５２（図４参照）を生地１の腰まわりに沿って周回して設けられているので、この紐通し部５２としては上下複数段（二段）に区画されたものとなっており、それぞれに紐状部材５１を通して上下複数のエンドレスをつくることができる。
なお、図３に示すように、切れ目３を３つ又はそれ以上として、それらの各相互間へ接続部４を設けるようにすることもできる。
【００１８】
ところで、本発明は、上記実施形態に限定されるものではない。
例えば、生地１は、下物衣類だけでなく上物衣類でもよく、またそもそも衣類生地５０に限定されるものではない。従って、穴部としても、紐通し部５２の出入開口５３に適用する他、例えば各部の釦穴等としても適用可能である。
【００１９】
【発明の効果】
以上の説明から明らかなように、本発明に係る穴部形成方法では、穴かがりの内側へ設ける切れ目を複数にして、切れ目相互間に接続部（非切開部分）を設けたうえで、天押ステッチを設けているので、生地に引張力をかけても各切れ目が大きな口開きや開口状態の変形等を起こすことが防止され、見栄えの良好な穴部（本発明に係る穴部構造）が得られる。
また、本発明に使用する切断工具では、不刃部とその両側の切断刃とを有しているので、接続部及び複数の切れ目を同時に形成できて作業効率が良好となるばりでなく、穴開け作業に用いる装置として特別な機構や構造が必要なく、実施が簡単である。
【図面の簡単な説明】
【図１】  本発明に係る穴部形成方法をその実施手順に基づいて示した状況説明図である。
【図２】  本発明に使用する切断工具を示した正面図である。
【図３】  本発明に係る穴部構造において切れ目を３つにした場合を示した正面図である。
【図４】  本発明に係る穴部構造を適用可能な衣類生地の一例（パンツ）を示した斜視図である。
【図５】  従来の穴部構造を示した正面図である。
【符号の説明】
１    生地
２    穴かがり
３    切れ目
４    接続部
５    切断工具
６    不刃部
７    切断刃
１１    天押ステッチ
５０    衣類生地
５１    紐状部材
５２    紐通し部
５３    出入開口
【図１】
0003742736.tif 000002
【図２】
0003742736.tif 000003
【図３】
0003742736.tif 000004
【図４】
0003742736.tif 000005
【図５】
0003742736.tif 000006